(57)【要約】【課題】電池パックの薄型化を図ることができ、段差が生じず、外観品位が良好であるとともに、分解され難い電池パックを提供する。【解決手段】素電池２１の一側面に保護回路基板３を配してなる組電池２の四側面に、矩形の外装枠６が嵌め合わされることで、電池コア７が構成される。そして、電池コア７の両平面、及び四側面の一部にラベル８を巻着することで電池パックが構成される。ラベル８のラベル本体８ａの長手方向の両端側で、ラベル８の基材層、中間層、保護層の端面は巻着方向に漸次的に偏位しており、突設部９，１０，１１の各層は、ラベル本体８ａの長辺からの突出長が異なる。ラベル８は、基材層の端部を電池コア７の裏面に貼着した後、巻着方向に沿って、順次巻き着け、基材層の巻着が完了した後、最後に保護層，中間層の末端部を基材層，中間層の巻き始めの端部に接着することで、電池コア７に巻着される。【選択図】図２
2009134875.tif 000002
【特許請求の範囲】
【請求項１】
直方体状をなす素電池、及び該素電池の少なくとも四側面を覆う外装体を有する電池コアと、
複数の層からなり、前記電池コアの一部に貼着されるラベルと
を備える電池パックにおいて、
前記ラベルは、該ラベルを構成する同一の層が内外方向に重ならないように貼着されていることを特徴とする電池パック。
【請求項２】
前記ラベルは、略矩形状を有し、各層が、平行な二側面が対向する状態で巻着されており、少なくとも一層の前記二側面が対向する位置が他層と異なるラベル本体を有する請求項１に記載の電池パック。
【請求項３】
前記二側面が対向する位置が層毎に異なる請求項２に記載の電池パック。
【請求項４】
前記ラベル本体の各層の前記二側面が対向する位置は、巻着方向へ、漸次的に偏位している請求項３に記載の電池パック。
【請求項５】
前記ラベルは、前記ラベル本体の前記二側面とは異なる一側面の一部から突設され、端部が内側に折り曲げられるように構成された突設部を有し、
前記突設部は、層毎に、前記一側面からの突出長が異なる突出部を有し、最外層の突出部の前記突出長は他層の前記突出長より短く、
内側に折り曲げられ、折り曲げられた前記突設部の端部の外側に配される前記ラベル本体の部分は、最外層が前記突設部の最外層と直角をなす状態で、最外層の内側の各層に、前記突設部の最外層の内側の各層の突出部が嵌め入れられるように、切り欠きが設けられている請求項２乃至４のいずれかに記載の電池パック。
【請求項６】
前記突設部の各層の突出部は、前記一側面から、漸次的に突出している請求項５に記載の電池パック。
【請求項７】
前記ラベルの層の数は、３以上である請求項１乃至６のいずれかに記載の電池パック。
【請求項８】
前記ラベルの最外層は、光の透過率が他層より高い層であり、最外層の内側の層は、外面に情報を記録する層である請求項１乃至７のいずれかに記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池等の二次電池の側面を絶縁性の外装体で覆う電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。リチウムイオン二次電池（素電池）は、正極及び負極をセパレータを介して巻回した電極群、及び非水電解質を、アルミニウム又はアルミニウム合金製であり、直方体状をなすケースに収納して構成される。
【０００３】
前記素電池の一側面に、過充電及び過放電を防止するために電池電圧を制御する保護回路、及び素電池から外部へ電力を取り出し、又は外部から電力を取り込むための出力端子を有する保護回路基板を配置することにより組電池が構成される。保護回路基板と素電池との間は接続用のリードにより電気的に接続されている。
前記組電池の四側面を、絶縁性を有する、例えば合成樹脂製の外装枠で覆い、又は組電池を例えば合成樹脂製の外装ケースに収納することにより電池コアが構成される。さらに、この電池コアの両平面と、外装枠又は外装ケースとをラベルで覆うことで電池パックが得られ、この電池パックが携帯電子機器に装着される。
【０００４】
図９は、従来のラベル１６を示す斜視図である。
ラベル１６は、同一の矩形状を有する、例えばＰＥＴ（ポリエチレンテレフタレート）等の合成樹脂製のフィルムの裏面にアクリル樹脂系粘着剤を塗布してなる基材層１６ａと、例えばＰＰ（ポリプロピレン）等の合成樹脂製のフィルムの裏面にアクリル樹脂系粘着剤を塗布してなる保護層１６ｂとを、端部を揃えた状態で貼り合わせてなる。
【０００５】
図１０は、ラベル１６を電池コア７に巻着してなる電池パックを示す断面図である。図中、電池コア７の詳細は省略してある。
ラベル１６を、電池コア７の両平面、及び四側面の一部に巻き付けるように貼着し、末縁部を、巻き始めの端部に重ね合わせて貼付することにより電池パックが構成される。
【０００６】
このような構成によれば、ラベル１６の貼着の末端側においては、二層で構成されたラベル１６を二重に重ね合わせることになり、このラベル１６の２倍の厚みを有する部分が電池パックの最大厚みとなる。
通常、基材層１６ａ及び保護層１６ｂの各フィルムの厚みは略２５μｍ、各粘着剤の厚みは略２０μｍであり、合計の厚みがそれぞれ略４５μｍであるので、ラベル１６が重ね合わされた部分の厚みは略１８０μｍとなる。従って、電池パックの薄型化がこの部分により制約されるという問題があった。
また、ラベル１６を二重に重ね合わせた部分においては、他の部分と段差が生じ、電池パックの外観品位を損ねるのみならず、終端部が明確に視認されるために、使用者がラベル１６を剥がし、電池パックが分解されて不正使用される、又は誤使用されるという問題があった。
【０００７】
上述の問題を解決すべく、特許文献１には、ラベルを構成する第１シート材の巻き終わり位置と第２シート材の巻き終わり位置とが異なる状態で、ラベルを電池コアに貼着する電池パックの発明が開示されている。
図１１は、特許文献１のラベル１７を示す斜視図、図１２は、ラベル１７を電池コア７に巻着してなる電池パックを示す断面図である。
図１１に示すように、ラベル１７は、巻き始め側の端部においては、下層である第１シート材１８を突出させ、巻き終わり側の端部においては、上層である第２シート材１９を突出させている。
図１２に示すように、このラベル１７の第１シート材１８の突出部１８ａの端部を電池コア７の裏面に位置決めして貼着した後、第１シート材１８と第２シート材１９とが貼り合わされている部分を電池コア７の周面に沿って巻き付ける。そして、前記部分を突出部１８ａの巻き始めの部分に重ね合わせた後、第２シート材１９の突出部１９ａを、突出部１８ａのみが貼着されている部分に重ね合わせて貼着することで電池パックが構成される。
【特許文献１】特開２００５−２７６５７１号公報
【発明の開示】
【発明が解決しようとする課題】
【０００８】
特許文献１の構成によれば、ラベル１７の重ね合わせ部分の段差が小さくなり、ラベル１７の端縁部が判別され難くなり、電池パックの外観品位を向上させることができると共に、ラベル１７が不正に剥がされることを抑制することができる。しかしながら、この特許文献１の発明においては、ラベル１７の第１シート材１８の突出部１８ａが貼付された部分に、第１シート材１８と第２シート材１９との二層からなる部分が重ね合わされるので、この部分は三層となる。例えば、第１シート材１８、及び第２シート材１９それぞれの合成樹脂製のフィルムと粘着剤との厚みの合計値が４５μｍである場合、重ね合わされた部分の厚みは、１３５μｍとなる。
従って、特許文献１の発明においても、電池パックの薄型化を十分に図ることができないという問題があった。
【０００９】
本発明は斯かる事情に鑑みてなされたものであり、ラベルを、構成する同一の層が内外方向に重ならないように貼着することにより、積層される層の数は、ラベルを構成する層の数と同一であるので、薄型化を図ることができ、段差が生じず、外観品位が良好である電池パックを提供することを目的とする。
【００１０】
また、本発明は、略矩形状のラベル本体の各層が、平行な二側面が対向する状態で巻着されており、少なくとも一層の前記二側面が対向する位置が他層と異なるように構成することにより、薄型化を図ることができ、段差がなく、外観品位が良好であるとともに、分解され難い電池パックを提供することを目的とする。
【００１１】
また、本発明は、各層の前記二側面が対向する位置が、巻着方向へ、漸次的に偏位するように構成することにより、ラベルを容易に作製することができ、ラベルを電池コアに容易に巻着することができる電池パックを提供することを目的とする。
【００１２】
そして、本発明は、突設部とラベル本体とが重なる部分においても、積層される層の数が、ラベルを構成する層の数と同一であるように構成することにより、薄型化を図ることができ、段差がなく、外観品位が良好である電池パックを提供することを目的とする。
【００１３】
さらに、本発明は、突設部の各層の突出部が、ラベル本体の一側面から、漸次的に突出するように構成することにより、ラベルを容易に作製することができ、ラベル本体の対応する部分に前記突出部を嵌め入れる場合に、作業性が良好である電池パックを提供することを目的とする。
【００１４】
また、本発明は、ラベルの層の数が３以上であるように構成することにより、最内層の
二側面の間隙から、素電池の金属面が視認されず、外観品位がさらに良好になる電池パックを提供することを目的とする。
【００１５】
そして、本発明は、略透明の最外層の内側の層の外面に情報を記録するように構成することにより、記録物が良好に保護される電池パックを提供することを目的とする。
【課題を解決するための手段】
【００１６】
第１発明に係る電池パックは、直方体状をなす素電池、及び該素電池の少なくとも四側面を覆う外装体を有する電池コアと、複数の層からなり、前記電池コアの一部に貼着されるラベルとを備える電池パックにおいて、前記ラベルは、該ラベルを構成する同一の層が内外方向に重ならないように貼着されていることを特徴とする。
【００１７】
本発明においては、ラベルを構成する同一の層が内外方向に重ならないように貼着されているので、電池パックには段差がなく、外観品位が良好である。
【００１８】
第２発明に係る電池パックは、第１発明において、前記ラベルは、略矩形状を有し、各層が、平行な二側面が対向する状態で巻着されており、少なくとも一層の前記二側面が対向する位置が他層と異なるラベル本体を有することを特徴とする。
【００１９】
本発明においては、ラベル本体の各層が、前記二側面が内外方向へ重ならないように巻着されている（いわゆるバット巻きにより巻着されている）ので、ラベルが巻着される電池コアの周面のいずれの部分においても、積層される層の数は、ラベルを構成する層の数と同一である。
従って、電池パックには段差がなく、外観品位が良好である。
そして、少なくとも一層の前記二側面が対向する位置が他層と異なるので、ラベルが剥がれ難い。
【００２０】
第３発明に係る電池パックは、第２発明において、前記二側面が対向する位置が層毎に異なることを特徴とする。
【００２１】
本発明においては、各層の前記二側面が対向する位置が層毎に異なるので、内側の層の前記二側面は必ず、外側の層により覆われており、各層はさらに剥がれ難く、また、人為的にラベルを剥がすのも困難である。
【００２２】
第４発明に係る電池パックは、第３発明において、前記ラベル本体の各層の前記二側面が対向する位置が、巻着方向へ、漸次的に偏位していることを特徴とする。
【００２３】
本発明においては、ラベルを一体化して作製する場合、容易に作製することができる。
また、ラベルを電池コアに巻着する場合、巻着方向に沿って、最内層の端部から順次巻き着け、最内層の巻着が完了した後に、最外層の末端部の裏面を最内層の巻き始めの端部の表面に接着して終了するので、作業性が良好である。
そして、層毎に電池コアに巻着する場合においても、巻き始めの位置決めが容易になり、容易に電池パックを作製することができる。
【００２４】
第５発明に係る電池パックは、第２乃至第４発明のいずれかにおいて、前記ラベルは、前記ラベル本体の前記二側面とは異なる一側面の一部から突設され、端部が内側に折り曲げられるように構成された突設部を有し、前記突設部は、層毎に、前記一側面からの突出長が異なる突出部を有し、最外層の突出部の前記突出長は他層の前記突出長より短く、内側に折り曲げられ、折り曲げられた前記突設部の端部の外側に配される前記ラベル本体の部分は、最外層が前記突設部の最外層と直角をなす状態で、最外層の内側の各層に、前記
突設部の最外層の内側の各層の突出部が嵌め入れられるように、切り欠きが設けられていることを特徴とする。
【００２５】
本発明においては、ラベル本体に突設部が折り込まれる部分においても、積層される層の数が、ラベルを構成する層の数と同一である。
【００２６】
第６発明に係る電池パックは、第５発明において、前記突設部の各層の突出部が、前記一側面から、漸次的に突出していることを特徴とする。
【００２７】
本発明においては、ラベルを容易に作製することができ、ラベル本体の対応する部分に突設部の各層の突出部を容易に嵌め入れることができる。
【００２８】
第７発明に係る電池パックは、第１乃至第６発明のいずれかにおいて、前記ラベルの層の数が、３以上であることを特徴とする。
【００２９】
本発明においては、最内層の二側面の間隙が、該最内層の外側の不透明の層により覆われることで、電池コアの素電池の金属面が視認されず、外観品位がさらに良好になる。
【００３０】
第８発明に係る電池パックは、第１乃至第７発明のいずれかにおいて、前記ラベルの最外層は、光の透過率が他層より高い層であり、最外層の内側の層は、外面に情報を記録する層であることを特徴とする。
【００３１】
本発明においては、最外層を介して記録物が視認され、かつ最外層により記録物が良好に保護される。
【発明の効果】
【００３２】
第１発明によれば、ラベルのいずれの部分においても、積層される層の数は、ラベルを構成する層の数と同一であるので、電池パックの薄型化を図ることができ、電池パックに段差が生じず、外観品位が良好である。
【００３３】
第２発明によれば、ラベル本体が巻着される電池コアの周面のいずれの部分においても、積層される層の数は、ラベルを構成する層の数と同一であるので、電池パックの薄型化を図ることができ、電池パックに段差が生じず、外観品位が良好である。
また、最内層の側面が判別され難く、ラベルが剥がされ難いので、電池パックが分解されるのが抑制され、ユーザによる不正使用、及び誤使用が抑制される。
【００３４】
第３発明によれば、最内層の側面がさらに判別され難くなり、ラベルが剥がされ難くなるので、電池パックが分解されるのが抑制され、ユーザによる不正使用、及び誤使用が良好に抑制される。
【００３５】
第４発明によれば、ラベルを一体化して作製する場合、容易に作製することができ、ラベルを電池コアに巻着する場合の作業性も良好である。また、層毎に電池コアに巻着する場合においても巻き始めの位置決めが容易である。
従って、電池パックを容易に作製することができる。
【００３６】
第５発明によれば、突設部とラベル本体とが重なる部分においても、積層される層の数が、ラベルを構成する層の数と同一であるので、電池パックの薄型化を図ることができ、電池パックに段差が生じず、外観品位が良好である。
【００３７】
第６発明によれば、ラベルを容易に作製することができ、ラベル本体の対応する部分に
突設部の各層の突出部を嵌め入れる場合の作業性も良好である。
【００３８】
第７発明によれば、電池コアの素電池の金属面が視認されず、外観品位がさらに良好になる。
【００３９】
第８発明によれば、最外層を介して記録物が視認され、かつ最外層により記録物が良好に保護される。
【発明を実施するための最良の形態】
【００４０】
以下、本発明をその実施の形態を示す図面に基づき具体的に説明する。
実施の形態１．
図１は、本発明の実施の形態１に係る電池パック１を示す斜視図、図２は、電池パック１を示す分解斜視図である。
電池パック１の組電池２の素電池２１は角型平板状をなし、例えばリチウムイオン二次電池等の非水電解質二次電池であり、正極及び負極をセパレータを介して巻回した電極群、並びに非水電解質を、アルミニウム又はアルミニウム合金製のケースに収納してなる。
素電池２１の一側面には、絶縁板（図示せず）を介して負極端子（図示せず）が設けられており、これと対向する他側面には、リード取付板２１ａが設けられている。負極端子が設けられた部分以外の素電池２１の全体が正極（端子）とされる。
【００４１】
素電池２１の負極端子が設けられている前記一側面に隣接する側面には、保護回路基板３が配されている。保護回路基板３は、素電池２１と対向する面に、素電池２１の過充電又は過放電等を防止するための保護回路が実装され、該保護回路を樹脂モールドしてなる保護回路実装部３ａを有する。そして、保護回路基板３の外面側には、外部へ電力を取り出し、また逆に充電のために外部から電力を取り込むための正負極と温度端子である出力端子３ｂ，３ｂ，３ｂが金メッキにより設けられている。
【００４２】
第１リード４により、保護回路基板３の接続端子（図示せず）と前記負極端子とが接続され、第２リード５により、保護回路基板３の他方の接続端子と、リード取付板２１ａを介し素電池２１の前記他側面とが接続されている。
【００４３】
組電池２の四側面に、例えばポリカーボネート（ＰＣ）製、アクリロニトリルブタジエンスチレン（ＡＢＳ）製等からなり、矩形状を有する外装枠６を嵌め合わせることにより、電池コア７が得られる。外装枠６の一側面には、前記出力端子３ｂ，３ｂ，３ｂを露出させるための窓部６ａ，６ａ，６ａが設けられている。
【００４４】
電池コア７の両平面、及び四側面の一部に合成樹脂製のラベル８を貼着することにより、電池パック１が得られる。
【００４５】
図３は、ラベル８を示す平面図、図４は、図３のIV−IV線断面図、図５は、ラベル本体８ａを示す斜視図である。
ラベル８は、平面視が矩形状をなすラベル本体８ａと、該ラベル本体８ａの一方の長辺の一部から略Ｕ字状に突設された突設部９，１０と、ラベル本体８ａの他方の長辺の一部から略Ｕ字状に突設された突設部１１とを有する。図５において、突設部９，１０、及び１１は省略してある。
ラベル８は、基材層８１と、中間層８２と、保護層８３とを貼り合わせてなる。各層とも、例えばＰＥＴ、又はＰＰ等の合成樹脂製のフィルムの裏面にアクリル樹脂系粘着剤を塗布してなり、基材層８１及び中間層８２は不透明である。保護層８３は合成樹脂のラミネート材からなり、略透明である。中間層８２の表面の一部には、印刷により、情報に係る文字、図等が記録されている。各層とも、フィルムの厚みは略１５μｍ、粘着剤の厚み
は略１５μｍであり、ラベル８の合計した厚みは略９０μｍである。
【００４６】
図２乃至図５に示すように、ラベル本体８ａの長手方向の両端側において、基材層８１、中間層８２、及び保護層８３の端面の位置は揃っていない。ラベル８を電池コア７に巻着するときの内側から外側に向かって、基材層８１、中間層８２、及び保護層８３の端面は漸次的に偏位している。すなわち、ラベル本体８ａの長手方向の一端側において、基材層８１の端部８１ａ、及び中間層８２の端部８２ａが階段状に突出しており、長手方向の他端側において、保護層８３の端部８３ａ、及び中間層８２の端部８２ａが階段状に逆向きに突出している。
ラベル本体８ａは、基材層８１、中間層８２、及び保護層８３の各端面同士が対向し、端部８１ａの表面と端部８２ｂの裏面とが密着し、端部８２ａの表面と端部８３ａの裏面とが密着する状態で、電池コア７に巻着される。
【００４７】
突設部９，１０，１１においても、基材層８１の端部（突出部）８１ｂ，８１ｃ，８１ｄ、及び中間層８２の端部（突出部）８２ｃ，８２ｄ，８２ｅがそれぞれ階段状に突出している。すなわち、突設部９，１０，１１それぞれの基材層８１、中間層８２、保護層８３のラベル本体８ａの側面からの突出部の突出長が異なる。
ラベル８を電池コア７に巻着する場合に、突設部１０の端部はラベル本体８ａの内側に折り曲げられ、前記端部の外側に、内側に折り曲げられた前記ラベル本体８ａの重ね合わせ部８ｂが重ね合わされる。重ね合わせ部８ｂは前記端部と同一の略Ｕ字状の形状を有する。
重ね合わせ部８ｂのラベル短手方向の外側部分は、保護層８３の端部８３ｂのみで構成され、基材層８１及び中間層８２は略Ｕ字状に切り欠かれている。重ね合わせ部８ｂの前記短手方向の内側部分は、保護層８３及び中間層８２の二層から構成され、基材層８１が略Ｕ字状に切り欠かれており、ラベル本体８ａの裏側で、中間層８２の端部８２ｆが露出している。
【００４８】
突設部１０は、保護層８３の突出側の端面が、重ね合わせ部８ｂの保護層８３の前記短手方向の端面と直角をなし、端部８１ｃ，端部８２ｄが、重ね合わせ部８ｂの基材層８１，中間層８２のそれぞれの切り欠きに嵌め入れられた状態で、重ね合わせ部８ｂにより覆われる。このとき、端部８１ｃの表面と端部８２ｆの裏面とが密着し、端部８２ｄの表面と端部８３ｂの裏面とが密着する。
【００４９】
同様に、折り曲げられた突設部１１の端部に重ね合わされるラベル本体８ａの重ね合わせ部８ｃは、ラベル本体８ａの短手方向の外側部分が保護層８３の端部８３ｃのみで構成され、内側部分が保護層８３及び中間層８２の二層から構成され、ラベル本体８ａの裏側で、中間層８２の端部８２ｇが露出している。突設部１１は、保護層８３の突出側の端面が、重ね合わせ部８ｃの保護層８３の前記短手方向の端面と直角をなし、端部８１ｄ，端部８２ｅが、重ね合わせ部８ｃの基材層８１，中間層８２のそれぞれの略Ｕ字状の切り欠きに嵌め入れられた状態で、重ね合わせ部８ｃにより覆われる。
【００５０】
折り曲げられた突設部９の端部に重ね合わされるラベル本体８ａの重ね合わせ部８ｄは、ラベル本体８ａの長手方向の他端側で突出した前記端部８３ａ及び端部８２ｂとＬ字状に一体化している。突設部９は、保護層８３の突出側の端面が、重ね合わせ部８ｄの保護層８３の前記短手方向の端面と直角をなし、端部８１ｂ，端部８２ｃが、重ね合わせ部８ｄの基材層８１，中間層８２のそれぞれの略Ｕ字状の切り欠きに嵌め入れられた状態で、重ね合わせ部８ｄにより覆われる。
上述したように、ラベル本体８ａの端部８３ａ，端部８２ｂは、端部８２ａ，端部８１ａと重ね合わされるので、重ね合わせ部８ｄにおいて、突設部９と重なり合う部分が、端部８２ａ，端部８１ａとさらに重なって、重なる層の総数が３を超えないように、端部８
２ａ，端部８１ａの対応する部分には、切り欠き８ｅが設けられている。
【００５１】
ラベル８は、ラベル本体８ａの長手方向の一端部が、電池コア７の裏面の端部に位置決めされて貼着され、電池コア７のリード５が配されている側面に沿って折り曲げられ、電池コア７の表面に貼着される。このとき、突設部９，１０，１１が電池コア７の裏面側にＬ字状に折り曲げられて、端部が該裏面に貼着される。ラベル本体８ａは、さらに電池コア７の負極端子を有する側面に沿って折り曲げられ、電池コア７の裏面に巻着される。このとき、端部８３ａ，端部８２ｂは、端部８２ａ，端部８１ａと重ね合わされ、重ね合わせ部８ｂ，８ｃ，８ｄが突設部１０，１１，９の端部と重ね合わされる。
【００５２】
図６は、図１のVI−VI線断面図である。
上述したように、端部８１ａ，端部８２ａ、及び端部８３ａ，端部８２ｂは、ラベル本体８ａの長手方向の両端部で、それぞれ階段状に突出しており、端部８１ａが電池コア７の裏面に貼着された後、ラベル８の三層からなる部分が電池コア７の外周面に沿って巻き付けられ、ラベル８の末端側の端部８３ａ，端部８２ｂの裏面が、巻き始めの端部８２ａ，８１ａの表面に接着されて、巻着が終了する。
図６に示すように、基材層８１，中間層８２，保護層８３の両端面が対向する状態で、ラベル８は電池コア７に貼着されている。従って、電池コア７の外周側のいずれの部分においても、基材層８１，中間層８２，保護層８３の三層が積層されており、ラベル８を構成する同一の層が二重に積層される部分がなく、電池パック１には段差がない。
上述したように、重ね合わせ部８ｂ，８ｃ，８ｄと、突設部１０，１１，９の端部とが重なり合う部分においても、基材層８１，中間層８２，保護層８３の三層が積層されており、ラベル８を構成する同一の層が二重に積層されることがない。
すなわち、ラベル８を構成する同一の層は、内外方向に重なることなく、電池コア７に貼着されている。
従って、ラベル８の厚みはいずれの部分においても、略９０μｍであり、電池パック１の小型化を図ることができる。
【００５３】
電池パック１において、ラベル８の寸法公差、及び電池パック１の組立誤差を考慮して、基材層８１，中間層８２，保護層８３の長手方向の両端面が対向する部分には間隙を設ける必要がある。従って、基材層８１の両端面の間隙において、電池コア７の素電池２１の金属製のケースの表面が露出するが、前記表面は不透明の中間層８２により覆われているので、前記表面が保護層８３から見通すことができず、段差がないことと相まって電池パック１の外観品位は良好である。
また、各層の両端面の間隙はラベル８の巻着方向に漸次的に偏位しており、基材層８１の両端面の間隙は中間層８２により覆われているので、前記間隙が視認されず、ラベル８を剥がすことは困難であり、電池パック１が分解されるのが抑制されている。従って、ユーザによる不正使用、及び誤使用が抑制される。
【００５４】
なお、重ね合わせ部８ｂ，８ｃ，８ｄ、及び突設部１０，１１，９の構成は本実施の形態において説明したものに限定されない。
例えば、突設部１０の端部を保護層（中間層、又は基材層）のみから構成し、重ね合わせ部８ｂを、前記保護層（中間層、又は基材層）と同一の形状を有する、基材層及び中間層（基材層及び保護層、又は中間層及び保護層）から構成し、前記保護層、基材層及び中間層を重ね合わせることにしてもよい。重ね合わせ部８ｃ，８ｄ、及び突設部１１，９も同様に構成することができる。この構成によっても、重ね合わせ部８ｂ，８ｃ，８ｄと、突設部１０，１１，９の端部とが重なり合う部分において、基材層８１，中間層８２，保護層８３の三層が積層されており、ラベル８を構成する同一の層が二重に積層されることがない。すなわち、ラベル８を構成する同一の層が、重なることなく貼着されている。
【００５５】
実施の形態２．
図７は、本発明の実施の形態２に係るラベル１３を示す斜視図、図８は、ラベル１３を電池コア７に巻着してなる電池パックを示す断面図である。
本実施の形態２に係る電池コア７は、実施の形態１に係る電池コア７と同一の構成を有する。
ラベル１３は、例えばＰＥＴ、又はＰＰ等の合成樹脂製のフィルムの裏面にアクリル樹脂系粘着剤を塗布してなる基材層１４と、例えばＰＥＴ、又はＰＰ等の合成樹脂のラミネート材からなるフィルムの裏面にアクリル樹脂系粘着剤を塗布してなり、略透明である保護層１５とを貼り合わせてなる。
図７において、ラベル１３の長辺の一部から突設される突設部は省略してある。
各層とも、フィルムの厚みは略２５μｍ、粘着剤の厚みは略２０μｍであり、ラベル１３の合計した厚みは略９０μｍである。
【００５６】
ラベル１３の長手方向の一端側において、基材層１４の端部１４ａが、保護層１５の端面から突出しており、ラベル１３の長手方向の他端側において、保護層１５の端部１５ａが、基材層１４の端面から突出している。
図８に示すように、ラベル１３は、端部１４ａが電池コア７の裏面に貼着された後、ラベル１３の二層からなる部分が電池コア７の外周面に沿って巻き付けられ、ラベル１３の末端側の端部１５ａの裏面が、巻き始めの端部１４ａの表面に接着されて、巻着が終了する。
【００５７】
基材層１４，保護層１５の両端面が対向する状態で、ラベル１３は電池コア７に貼着されている。従って、電池コア７の外周側のいずれの部分においても、基材層１４，中間層保護層１５の二層が積層されており、ラベル１３を構成する同一の層が二重に積層される部分がなく、段差がない。
従って、ラベル１３の厚みはいずれの部分においても、略９０μｍであり、電池パックの小型化を図ることができるとともに、段差がないので、外観品位が良好である。
また、基材層１４の両端面の間隙と、保護層１５の両端面の間隙とが離隔しているので、ラベル１３を剥がし難く、電池パックが分解されるのが抑制され、ユーザによる不正使用、及び誤使用が抑制されている。
【００５８】
なお、前記実施の形態１及び２においては、ラベル８，１３を、構成する各層を貼り合わせて一体化してある場合につき説明しているがこれに限定されるものではなく、ラベルの各層を分離しておき、層毎に順次、電池コア７に巻着することにしてもよい。
また、ラベル本体８ａ、ラベル１３の長手方向の各層の両端部が巻着方向に、階段状に突出している場合につき説明しているがこれに限定されるものではなく、各層の両端面（側面）が巻着方向に偏位していればよい。但し、各層の両端面が巻着方向に漸次的に偏位している方が、ラベル８，１３、及び電池パックを容易に製造することができるので、好ましい。
さらに、ラベル８，１３の全ての層の両端面の位置が巻着方向にずれている場合に限定されず、少なくとも一層の前記位置が他層と異なればよい。但し、前記位置が層毎に異なる方が、ラベル８，１３がより剥がれにくくなるので、好ましい。
【００５９】
そして、ラベル８，１３を、ラベル本体の長手方向の両端面が対向する状態で電池コアに巻着する場合に限定されるものではない。電池コアが、保護回路基板が配されている側面に垂直な方向に長い場合、ラベルは、ラベル本体の短手方向の両端面が対向する状態で電池コアに巻着される。
また、ラベル本体８ａ、及びラベル１３は矩形である場合に限定されるものではなく、略平行四辺形状を有し、平行な二側面が対向する状態で、電池コアに巻着されるものであってもよい。
【００６０】
そして、前記実施の形態１及び２においては、電池コア７が矩形状の外装枠６を有する場合につき説明しているがこれに限定されるものではなく、組電池２を箱体状のケースに収納し、得られた電池コアに、ラベル８、又はラベル１３を貼着することにしてもよい。
【００６１】
また、ラベルを構成する層の数は二層又は三層に限定されるものではなく、各層の厚みも前記実施の形態１及び２において説明した場合に限定されるものではない。
但し、ラベルを構成する層の厚みが極端に薄い場合、取り扱いが困難になり、ラベルの製作が困難になる。また、前記厚みが極端に厚い場合、電池コアに巻き付けるときの反力が大きくなり、電池コアに良好に貼り付けることが困難になる。そして、電池パックの薄型化を図ることができない。
従って、ラベルを構成する層の数が二層である場合は、基材層、保護層ともに、合成樹脂製のフィルムの厚みを２５μｍ、粘着剤の厚みを２０μｍとするのが好ましく、ラベルを構成する層の数が三層以上である場合は、基材層、中間の層、保護層ともに、合成樹脂製のフィルムの厚みを１５μｍ、粘着剤の厚みを１５μｍとするのが好ましい。
【００６２】
さらに、前記実施の形態１及び２においては、素電池２１がリチウムイオン二次電池である場合につき説明しているがこれに限定されるものではなく、ニッケル・水素二次電池、ニッケル・カドミウム二次電池等の他の二次電池であってもよい。
【図面の簡単な説明】
【００６３】
【図１】本発明の実施の形態１に係る電池パックを示す斜視図である。
【図２】本発明の実施の形態１に係る電池パックを示す分解斜視図である。
【図３】本発明の実施の形態１に係るラベルを示す平面図である。
【図４】図３のIV−IV線断面図である。
【図５】本発明の実施の形態１に係るラベル本体を示す斜視図である。
【図６】図１のVI−VI線断面図である。
【図７】本発明の実施の形態２に係るラベルを示す斜視図である。
【図８】本発明の実施の形態２に係るラベルを電池コアに巻着してなる電池パックを示す断面図である。
【図９】従来のラベルを示す斜視図である。
【図１０】従来のラベルを電池コアに巻着してなる電池パックを示す断面図である。
【図１１】特許文献１のラベルを示す斜視図である。
【図１２】特許文献１のラベルを電池コアに巻着してなる電池パックを示す断面図である。
【符号の説明】
【００６４】
１  電池パック
２  組電池
２１  素電池
２１ａ  リード取付板
３  保護回路基板
３ａ  保護回路実装部
３ｂ  出力端子
４、５  リード
６  外装枠
７  電池コア
８、１３  ラベル
８ａ  ラベル本体
８ｂ、８ｃ、８ｄ  重ね合わせ部
８ｅ  切り欠き
８１、１４  基材層
８２  中間層
８３、１５  保護層
８１ａ、８１ｂ、８１ｃ、８１ｄ、８２ａ、８２ｂ、８２ｃ、８２ｄ、８２ｅ、８２ｆ、８２ｇ、８３ａ、８３ｂ、８３ｃ  端部
９、１０、１１  突設部
【図１】
2009134875.tif 000003
【図２】
2009134875.tif 000004
【図３】
2009134875.tif 000005
【図４】
2009134875.tif 000006
【図５】
2009134875.tif 000007
【図６】
2009134875.tif 000008
【図７】
2009134875.tif 000009
【図８】
2009134875.tif 000010
【図９】
2009134875.tif 000011
【図１０】
2009134875.tif 000012
【図１１】
2009134875.tif 000013
【図１２】
2009134875.tif 000014